(57)【要約】【課題】従来ある自立可能な物品も、袋体のような自立の困難な薄型の物品も安定して保持するとともに、不使用時には邪魔にならない仕切り部材を備えた冷却庫を提供する。【解決手段】支持部材５１に回転可能に支持される回転軸部５２１と、回転軸部５２１と所定の角度をなし、回転軸部５２１と接続した仕切りバー部５２２とを有する仕切り部材５２を有し、仕切り部材５２は回転軸部５２１を中心に回転することで、仕切りバー部５２２が仕切り位置Ｐ１と、待機位置Ｐ２との間を回転移動する冷却庫Ａ。【選択図】図６
2013079765.tif 000002
【特許請求の範囲】
【請求項１】
内部に収納領域を備えた収納室と、
前記収納領域を仕切る複数個の仕切り部材と、
前記収納室の周辺部に配置され、前記複数個の仕切り部材を回転可能に支持する支持部材とを有し、
前記仕切り部材は、前記支持部材に回転可能に支持される回転軸部と、
前記回転軸部と所定の角度をなし、前記回転軸部と接続した仕切りバー部とを備えており、
前記仕切り部材は前記回転軸部を中心に回転することで、前記仕切りバー部が前記収納領域を仕切る仕切り位置と、前記収納領域の外周に沿った待機位置との間を回転移動することを特徴とする冷却庫。
【請求項２】
前記仕切り部材が、前記仕切り位置又は前記待機位置にあるとき、それぞれの位置で前記仕切り部材の移動を規制する移動規制手段を備えており、
前記移動規制手段は、前記仕切り部材の自重による下方への移動によって、前記仕切り部材の移動を規制する請求項１に記載の冷却庫。
【請求項３】
前記移動規制手段は、前記回転軸部の外周面より径方向に突出する突起部と、
前記支持部材に形成され、前記仕切り部材が前記仕切り位置又は前記待機位置にあるとき、前記突起部が係合される係合部とを有する請求項２に記載の冷却庫。
【請求項４】
前記突起部は前記回転軸部の軸方向に沿って複数個備えられており、
前記支持部材は前記回転軸が回転自在かつ摺動自在な状態で貫通する貫通孔を備えており、
前記貫通孔は前記仕切り部材が前記仕切り位置及び前記待機位置以外の第３の位置にあるとき、前記突起部が貫通可能な溝部を備えている請求項３に記載の冷却庫。
【請求項５】
前記仕切りバー部の高さが異なる複数個の仕切り部材を備えている請求項１から請求項４に記載の冷却庫。
【請求項６】
前記支持部材が、前記収納領域の外周に沿って摺動可能である請求項１から請求項５のいずれかに記載の冷却庫。
【請求項７】
前記収納領域が、収納室の扉の内側に配置されたドアポケットである請求項１から請求項６のいずれかに記載の冷却庫。
【請求項８】
少なくとも２個の前記支持部材がドアポケットの前面側に取り付けられており、
前記各支持部材に支持された仕切り部材は、前記仕切りバー部の先端が他の仕切り部材の回転軸部に近接する位置が待機位置である請求項７に記載の冷却庫。
【発明の詳細な説明】
【技術分野】
【０００１】
本発明は、収納性の高い収納部を扉の内側に備えた冷却庫に関するものである。
【背景技術】
【０００２】
冷却庫には、左右いずれかの端部にヒンジを有し、前記ヒンジ周りに回転することで開閉されるドア（以下の説明ではヒンジドアと称する場合がある）が配置されている。前記ヒンジドアの内側には上面が開いた箱状の物入れ（ドアポケット）が備えられており、前記ドアポケットには、缶入り、ビン入りの飲料や調味料等、長尺の物品を縦長の状態で（立てて）水平方向に並べて収納することを目的としている場合が多い。
【０００３】
前記ドアポケットに前記長尺の物品を立てて収納し、この状態で前記ヒンジドアの開閉を行うと、ドア開閉時の回転動作によって前記物品ががたついたり、前記物品が転倒したりしやすい。このような、移動や転倒を抑制するため、例えば、特開平０６−３０４１号公報には、前記ドアポケットに摺動可能なスタンド構体（仕切り機構）を備えた冷却庫が提案されている。前記仕切り機構は、前記ドアを開いたとき、前記ドアポケットの手前側の側壁に取り付けられており、水平方向に摺動可能となっている。
【０００４】
前記仕切り機構は、摺動させることで前記ドアポケットの水平方向の幅を任意に変更することが可能である。すなわち、前記仕切り機構は前記ドアポケットの側壁との幅を収納する物品の大きさに合わせて調整可能であり、前記物品をその大きさに合わせて保持することができる。これにより、ドア開閉時の慣性力で前記物品ががたついたり、転倒したりするのを抑制し、しっかり保持することができる。
【先行技術文献】
【特許文献】
【０００５】
【特許文献１】特開平０６−３０４１号公報
【発明の概要】
【発明が解決しようとする課題】
【０００６】
しかしながら、特開平０６−３０４１号公報に示すような、従来の仕切り機構が備えられた前記ドアポケットに横長の物品を収納するとき、仕切り機構が邪魔になる場合がある。前記仕切り機構として着脱可能に形成されているものもあり、その場合、前記仕切り機構を取り外すことで、邪魔ではなくなるが、取り外した仕切り機構を保管する場所が必要となる。また、取り外した仕切り機構を紛失しやすい。
【０００７】
また、上述の従来の仕切り部材は、ある程度の幅がある、自立可能な物品の保持を目的としており、調味料やふりかけ等の紛体（粉末）の物品が収納される袋体のような、自立が困難な薄型の物品を立てた状態でしっかり保持することが難しい。
【０００８】
そこで本発明は、従来ある自立可能な物品も、袋体のような自立の困難な薄型の物品も安定して保持するとともに、不使用時には邪魔にならない仕切り部材を備えた冷却庫を提供することを目的とする。
【課題を解決するための手段】
【０００９】
上記目的を達成するために本発明は、内部に収納領域を備えた収納室と、前記収納領域を仕切る複数個の仕切り部材と、前記収納室の周辺部に配置され、前記複数個の仕切り部材を回転可能に支持する支持部材とを有し、前記仕切り部材は、前記支持部材に回転可能に支持される回転軸部と、前記回転軸部と所定の角度をなし、前記回転軸部と接続した仕切りバー部とを備えており、前記仕切り部材は前記回転軸部を中心に回転することで、前記仕切りバー部が前記収納領域を仕切る仕切り位置と、前記収納領域の外周に沿った待機位置との間を回転移動することを特徴とする冷却庫を提供することができる。
【００１０】
この構成によると、仕切りが必要なとき、前記仕切り部材を仕切り位置に移動し、収納領域を仕切ることができる。また、仕切りが不要なときには、待機位置に移動させ収納することができる。すなわち、収納領域に収納する物品にあわせて、収納領域を容易に仕切ることができ、しかも、仕切りが不要なときは邪魔にならないように収納することができる。これにより、前記収納領域を有効に利用することが可能である。
【００１１】
また、複数個の仕切り部材を同時に仕切り位置に移動させ、狭い幅の領域に仕切ることができる。このように、狭い幅の領域を形成することで、例えば、調味料やふりかけ等、縦型に自立が不可能（あるいは困難）な袋状の物品であっても立てた状態で、並べて保持することができる。これにより、自立が困難な袋状の物品でも、一度開封した後、内容物がこぼれないように保持することが可能である。また、従来のように、横向けで上下に並べて配置しないので、保持されている物品の目視による認識が容易である。  
【００１２】
上記構成において、前記仕切り部材が、前記仕切り位置及び前記待機位置にあるとき、それぞれの位置で前記仕切り部材の移動を規制する移動規制手段を備えており、前記移動規制手段は、前記仕切り部材の自重による下方への移動によって、前記仕切り部材の移動を規制する構成であってもよい。
【００１３】
この構成によると、前記仕切り部材は、持ち上げ回転させることで、前記仕切り位置又は前記待機位置に移動させることができる。また、前記仕切り位置又は前記待機位置に移動したとき、持ち上げている力を抜くことで、前記移動規制手段により移動が規制されるので、簡単な操作で移動させることができるとともに、前記仕切り位置又は前記待機位置で保持（移動を規制）することが可能である。
【００１４】
上記構成において、前記移動規制手段は、前記回転軸部の外周面より径方向に突出する突起部と、前記支持部材に形成され、前記仕切り部材が前記仕切り位置又は前記待機位置にあるとき、前記突起部が係合される係合部とを有していてもよい。
【００１５】
この構成によると、回転軸部の外周に突起部を形成し、支持部に係合部を形成するだけでよく、仕切り部材及び支持部材を簡単な構成とすることができる。なお、突起部は、前記回転軸部の一部をプレス等にて圧縮し、径方向に突出させた構成であってもよい。
【００１６】
上記構成において、前記突起部は前記回転軸部の軸方向に沿って複数個備えられており、前記支持部材は前記回転軸が回転自在かつ摺動自在な状態で貫通する貫通孔を備えており、前記貫通孔は前記仕切り部材が前記仕切り位置及び前記待機位置以外の第３の位置にあるとき、前記突起部が貫通可能な溝部を備えていてもよい。
【００１７】
この構成によると、前記突起部が前記溝部を通過することが可能であり、前記係合部と係合する前記突起部を変更することで、前記仕切りバー部の高さを容易に変更することが可能となっている。これにより、収納領域に収納される物品に合わせて、仕切りバー部の高さを段階的に変更することが可能であり、収納される物品をしっかり保持することが可能である。
【００１８】
上記構成において、前記仕切りバー部の高さが異なる複数個の仕切り部材を備えていてもよい。この構成によると、前記仕切り部材を前記待機位置に移動するとき、前記仕切りバー部同士が接触するのを抑制することが可能である。
【００１９】
上記構成において、前記支持部材が、前記収納領域の外周に沿って摺動可能であってもよい。
【００２０】
上記構成において、前記収納領域が、収納室の扉の内側に配置されたドアポケットであってもよい。また、このとき、少なくとも２個の前記支持部材がドアポケットの前面側に取り付けられており、前記各支持部材に支持された仕切り部材は、前記仕切りバー部の先端が他の仕切り部材の回転軸部に近接する位置が待機位置としてもよい。
【００２１】
この構成によると、仕切りバー部は棒状の部材であり、収納室内部からドアポケットに流れる冷気の流れを遮りにくい。そのため、前記ドアポケットに収納された物品を速やかにかつ安定して冷却することが可能である。また、前記仕切りバー部で前記ドアポケットの上部に柵を作ることになるので、収納されている物品が前記ドアポケットから脱落するのをよくせいすることが可能である。
【発明の効果】
【００２２】
本発明によると、従来ある自立可能な物品も、袋体のような自立の困難な薄型の物品も安定して保持するとともに、不使用時には邪魔にならない仕切り部材を備えた冷却庫を提供することができる。
【図面の簡単な説明】
【００２３】
【図１】本発明にかかる冷却庫の概略図である。
【図２】図１に示す冷却庫の冷蔵室ドアの内面の図である。
【図３】図２に示す冷蔵室ドアの側面図である。
【図４】図２に示すドアポケットの端部を拡大した図である。
【図５】図４に示すドアポケットの断面図である。
【図６】ユーティリティースタンドでドアポケットを仕切っている状態の斜視図である。
【図７】図６に示すユーティリティースタンドを収納した状態の斜視図である。
【図８Ａ】仕切り部材が仕切り位置にあるときのユーティリティースタンドを拡大した平面図である。
【図８Ｂ】仕切り部材が待機位置にあるときのユーティリティースタンドを拡大した平面図である。
【図９】図８Ａに示すユーティリティースタンドを拡大した正面図である。
【図１０Ａ】仕切り部材が持ち上げられた状態のユーティリティースタンドの正面図である。
【図１０Ｂ】仕切り部材が持ち上げられた状態のユーティリティースタンドの平面図である。
【図１０Ｃ】仕切り部材が待機位置に移動したときのユーティリティースタンドの平面図である。
【図１０Ｄ】仕切り部材の下方への移動を示すユーティリティースタンドの正面図である。
【図１１】図７とは異なる状態に収納したユーティリティースタンドの斜視図である。
【図１２Ａ】第２突起部が溝部を貫通可能となるように仕切り部材を回転させた状態のユーティリティースタンドの平面図である。
【図１２Ｂ】図１２Ａに示すユーティリティースタンドの正面図である。
【図１２Ｃ】第２突起部が溝部を貫通したときのユーティリティースタンドの正面である。
【図１２Ｄ】第２突起部と仕切り係合部とが係合するときのユーティリティースタンドの正面図である。
【図１３】ドアポケットの周壁部に取り付けたユーティリティースタンドの仕切り部材を仕切り位置に配置した状態の斜視図である。
【図１４】図１３に示すユーティリティースタンドの仕切り部材を待機位置に移動したときの斜視図である。
【発明を実施するための形態】
【００２４】
以下に本発明の実施形態について図面を参照して説明する。図１は本発明にかかる冷却庫の概略図である。冷却庫Ａは、発泡ウレタン等の断熱材を壁部に充填した断熱箱体である。図１に示すように、冷却庫Ａは、物品を凍結しない程度の低温で保存する冷蔵室１と、物品を凍結した状態で保存する冷凍室２とを備えている。冷蔵室１及び冷凍室２の前面開口を塞ぐように冷蔵室ドア３及び冷凍室ドア２０が配置されている。図示は省略しているが、冷蔵室ドア３及び冷凍室ドア２０は中空であり、内部に発泡ウレタン等の断熱材が充填されている。
【００２５】
図１に示すように、冷蔵室ドア３は、正面視右側がヒンジ３１を介して本体に取り付けられており、ヒンジ３１を中心に回転することで、開閉される。冷凍室ドア２０も同様に、ヒンジ２１を介して本体に取り付けられており、ヒンジ２１を中心に回転し、開閉される。
【００２６】
本発明にかかる冷却庫の要部であるドア内側に配置されたドアポケットについて図面を参照して説明する。図２は図１に示す冷却庫の冷蔵室ドアの内面を正面から見た図であり、図３は図２に示す冷蔵室ドアを側面から見た図である。なお、以下の説明において、冷蔵室ドア３について説明するが、冷凍室ドア２０も同様の構成であってもよく、冷却庫が他の収納室を備えている場合、その収納室の前面に配置されるドアも同様の構成であってもよい。また、以下の説明において、特に記載のない限り、上下左右あるいは縦横と説明する場合、図２の状態を基準とするものとする。
【００２７】
図２、図３に示すように、冷蔵室ドア３の内面には、ビン、缶、ペットボトル等を立てて保管するためのドアポケット４（区別が必要な場合、上から、４Ａ、４Ｂ、４Ｃ、４Ｄとする）が上下に４段備えられている。ドアポケット４は、冷蔵室ドア３の内面に着脱可能に取り付けられるものである。
【００２８】
図２、図３に示すように、冷却庫Ａにおいて、４段のドアポケット４のうち、最上段のドアポケット４Ａは他の３つのドアポケット４よりも浅く、すなわち、後述の周壁部４１の高さが低い。また、最下段のドアポケット４Ｄは他の３つのドアポケット４よりも深く、すなわち、周壁部４１の高さが高くなっている。そのため、最上段及び最下段のドアポケット４Ａ、４Ｄは常にこの位置に取り付けられる。
【００２９】
一方、中間部に配置される２段目のドアポケット４Ｂ、３段目のドアポケット４Ｃは、左右両端部の外部が冷蔵室ドア３の内面より突出し上下に延びた凸条部３２に配置された係合部３３と係合することで冷蔵室ドア３の内面に取り付けられている。そして、係合部３３は、凸条部３２に等間隔で複数個並んで配置されており、２段目のドアポケット４Ｂ、３段目のドアポケット４Ｃは、任意の係合部３３に取り付けが可能となっている。
【００３０】
また、図２、図３に示すように、２段目のドアポケット４Ｂには、ドアポケット４Ｂの収納領域を仕切る（図２において左右方向に仕切る）ためのユーティリティースタンド５が備えられている。なお、ユーティリティースタンド５は、２段目のドアポケット４Ｂに備えられているが、これに限定されるものではなく、他のドアポケットに備えられていてもよい。以下の説明において、便宜上、２段目のドアポケット４Ｂをドアポケット４として説明する。
【００３１】
ドアポケットについて新たな図面を参照して説明する。図４は図２に示すドアポケットの端部を拡大した平面図であり、図５は図４に示すドアポケットの断面図である。
【００３２】
図３〜５に示すように、長方形板状の底板部４０と、底板部４０の一つの長辺と２つの短辺より立設された周壁部４１と、残りの長辺の近傍より立設され、周壁部４１よりも低いレール部４２とを備えている。なお、ドアポケット４は、樹脂の一体性形態であり、底板部４０、周壁部４１及びレール部４２は一体的に成形されている。
【００３３】
図３〜５に示すように、ユーティリティースタンド５は、後述する支持部材５１の下部でレール部４２に沿って摺動可能に係合している。ユーティリティースタンド５は、レール部４２に沿って摺動することで、ドアポケット４の周壁部４１で囲まれている収納領域を任意の位置で仕切ることが可能である。
【００３４】
本発明にかかる冷却庫に備えられたユーティリティースタンドについて図面を参照して説明する。図６はユーティリティースタンドでドアポケットを仕切っている状態の斜視図であり、図７は図６に示すユーティリティースタンドを収納した状態の斜視図である。
【００３５】
図５、図６、図７に示すように、ユーティリティースタンド５は、２個の支持部材５１と、２個の支持部材５１それぞれに回転可能に支持され、ドアポケット４の収納部分を仕切る２個の仕切り部材５２とを備えている。なお、ユーティリティースタンド５では、支持部材５１及び仕切り部材５２を２個ずつ備えているものを例にしているが、これに限定されるものではなく、３個以上の支持部材５１及び仕切り部材５２を備えていてもよい。また、１個の支持部材５１に複数個（例えば、２個）の仕切り部材５２が支持される構成であってもよい。
【００３６】
仕切り部材５２は、金属製の棒を曲げて形成したものである。図６、図７に示すように、ユーティリティースタンド５は、支持部材５１に回動可能かつ摺動可能に支持される円柱状の回転軸部５２１と、回転軸部５２１の上端に屈折して連結された棒状の仕切りバー部５２２とを備えている。なお、仕切り部材５２では、回転軸部５２１と仕切りバー部５２２とは、一体に形成されているものとしているが、これに限定されるものではなく、回転軸部５２１と仕切りバー部５２２とが別体で形成され、その後接合される構成であってもよい。この接合には、接着、圧着、溶接等従来よく知られた方法を採用することができる。
【００３７】
また、図に示すように、一方の仕切り部材５２（図５中左側、第１仕切り部材５２Ａとする）の方が、他方の仕切り部材５２（図５中右側、第２仕切り部材５２Ｂとする）よりも、支持部５１の上方に突出している部分の長さが長い。また、第１仕切り部材５２Ａと第２仕切り部材５２Ｂとは、支持部材５１より突出している部分の長さが異なる以外は同じ構成であり、以下の説明では、特に必要な場合を除き、第１仕切り部材５２Ａ及び第２仕切り部材５２Ｂをまとめて、仕切り部材５２として説明する。
【００３８】
以下に、ユーティリティースタンド５について新たな図面を参照して詳しく説明する。図８Ａは仕切り部材が仕切り位置にあるときのユーティリティースタンドを拡大した平面図であり、図８Ｂは仕切り部材が待機位置にあるときのユーティリティースタンドを拡大した平面図であり、図９は図８Ａに示すユーティリティースタンドを拡大した正面図である。仕切り部材５２は、回転軸部５２１周りに回転することで、仕切りバー部５２２がレール部４２と交差（ユーティリティースタンド５では、直交）しドアポケット４の収納領域を左右に仕切る仕切り位置Ｐ１（図８Ａ参照）と、仕切りバー部５２２がレール部４２と平行な待機位置Ｐ２（図８Ｂ参照）との間で移動する。
【００３９】
図８Ａ、図９に示すように、回転軸部５２１は外周面より反対方向に延びる一対の第１突起部５２３と、第１突起部５２３よりも下方に配置され、第１突起部５２３と同じ形状を有し、上下方向（回転軸部５２１の軸方向）に重なるように形成された第２突起部５２４とを備えている。なお、第１突起部５２３及び第２突起部５２４は回転軸部５２１の曲面部より突出している形状であるが、これに限定されるものではなく、例えば、プレス加工等で回転軸部５２１を圧縮し、回転軸部５２１の外側に突出させて形成するものであってもよい。
【００４０】
また、回転軸部５２１では、第１突起部５２３と第２突起部５２４は上下方向に重なる構成としているが、第１突起部５２３と第２突起部５２４とが、回転軸部５２１を中心に、一定の角度（例えば、９０°）ずれて形成されていてもよい。このように構成することで、第１突起部５２３又は第２突起部５２４が、後述する貫通孔５３の溝部５３２を通過するとき、他方の突起部（例えば、第１突起部５２３が通過するときの第２突起部５２４）が引っかかり、不意に抜けるのを抑制するストッパーとして作用させることが可能である。
【００４１】
ユーティリティースタンド５において、第１突起部５２３及び第２突起部５２４は、仕切り部材５２２が伸びる方向及び回転軸部５２１の軸線と直交する方向に突出している。なお、第１突起部５２３及び第２突起部５２４は、回転軸部５２１を直接プレス加工する方法、回転軸部５２１の表面に溶接等で接合する方法、予め貫通孔をあけておきその部分に板状の部材を圧入する方法等で成形されるものであるが、これらに限定されるものではなく、第１突起部５２３及び第２突起部５３４を回転軸部５２１に対して、移動しないように形成できる方法を広く採用できる。
【００４２】
また、第１突起部５２３及び第２突起部５２４は、仕切り位置Ｐ１にあるとき支持部材５１に備えられた後述の第１係合部５４と、収納部にあるとき第２係合部５５と係合する。なお、仕切り部材５２は第１突起部５２３又は第２突起部５２４とは第１係合部５４又は第２係合部５５と接触しない状態で回転移動される。第１仕切り部材５２Ａの仕切りバー部５２２が、第２仕切り部材５２Ｂの仕切りバー部５２２よりも上方に配置されるので、第１仕切り部材５２Ａが待機位置Ｐ２に移動するとき、仕切りバー部５２２が第２仕切り部材５２Ｂの各部（例えば、回転軸部５２１、仕切りバー部５２２等）と接触しにくい。なお、仕切り部材５２の動作の詳細については、後述する。
【００４３】
支持部材５１は、上部に平板部５１０が形成されている。そして、上部の平板部５１０には、回転軸部５２１が軸方向に摺動可能かつ回転可能に貫通する貫通孔５３と、仕切り部材５２が仕切り位置Ｐ１にあるとき、回転軸部５２１に備えられた第１突起部５２３又は第２突起部５２４が係合する第１係合部５４と、仕切り部材５２が待機位置Ｐ２にあるとき第１突起部５２３又は第２突起部５２４が係合する第２係合部５５と、下部に備えられレール部４２に摺動可能に係合される摺動係合部５６とを備えている。
【００４４】
貫通孔５３は、円筒部５３１と、円筒部５３１と一体であり、円筒部５３１を挟んで対称となる位置に形成された一対の溝部５３２とを備えている。円筒部５３１の内径は、回転軸部５２１の円柱状の部分の外形よりも大きく、第１突起部５２３及び第２突起部５２４の長手方向の両端部間の長さよりも短い。つまり、回転軸部５２１の円柱状の部分が円筒部５３１を貫通している状態のとき、回転軸部５２は回転自在かつ軸方向に摺動自在である。
【００４５】
一対の溝部５３２は円筒部５３１の内周面に形成された凹溝であり、一対の溝部５３２の互いに対向する面の間の長さは、第１突起部５２３及び第２突起部５２４の長さよりも長い。これにより、回転軸部５２１の円柱状の部分が円筒部５３１を貫通している状態で、第１突起部５２３又は第２突起部５２４と溝部５３２とが上下方向に重なるように回転軸部５２１を回転させることで、第１突起部５２３又は第２突起部５２４は溝部５３２を通過することができる。
【００４６】
図８Ａ、図８Ｂに示すように、第１係合部５４は平板部５１０の上面に、貫通孔５３の円筒部５３１を挟んで対をなして配置されており、第１突起部５２３又は第２突起部５２４を係合することができる溝部５４１を備えている。なお、支持部材５１において、第１係合部５４では、凸部５４０が平板部５１０より突出することで、溝部５４１を備えた第１係合部５４を構成しているが、これに限定されるものではなく、例えば、平板部の厚みが厚い場合、平板部を掘って溝部を構成するようにしてもよい。
【００４７】
また、図８Ａ、図８Ｂに示すように、第２係合部５５は、第１係合部５４に対し、円筒部５３１を中心に周方向に９０°回転した位置に形成されている。すなわち、第２係合部５５は円筒部５３１を挟んで、レール部４２と直交する方向に並んで配置されている。第２係合部５５も第１係合部５４と同様に、凸部５５０が平板部５１０より突出することで、第１突起部５２３又は第２突起部５２４が係合する溝部５５１を構成している。なお、第２係合部５５も第１係合部５４同様、平板部５１０を掘って溝部を構成するようにしてもよい。
【００４８】
なお、ユーティリティースタンド５では、第１係合部５４及び第２係合部５５ともに、貫通孔５３の円筒部５３１を挟んで対称位置に対をなすように形成されているが、これに限定されるものではなく、仕切り部材５２が仕切り位置Ｐ１あるいは待機位置Ｐ２にあるとき、第１突起部５２３又は第２突起部５２４を係合し、仕切り部材５２の回転を抑制できる構成であれば、円筒部５３１を挟んで対をなしていない構成であってもよい。例えば、第１係合部５４において、円筒部５３１を挟んで配置された凸部５４０のうち、手前側のみ（図４で下側のみ）を備える構成であっても、第１突起部５２３又は第２突起部５２４と係合することで、仕切り部材５２が回転するのを抑制することが可能である。
【００４９】
図４に示すように、第１仕切り部材５２Ａ及び第２仕切り部材５２Ｂがそれぞれ仕切り位置Ｐ１にあるとき、第１仕切り部材５２Ａの仕切りバー部５２２と第２仕切り部材５２Ｂの仕切りバー部５２との距離がＷ１になる。
【００５０】
この、距離Ｗ１は図４、図６に示しているように、袋状の物品Ｐｏを縦型に保持できる幅である（図４、図６では、２個保持されている）。図４、図６において、距離Ｗ１は袋状の物品Ｐｏを２個並べて保持できる幅であるが、１個を縦向きに保持できる幅であってもよく、３個以上の袋状の物品Ｐｏを並べて保持できる幅であってもよい。また、袋状以外にも、薄型で自立が不可能あるいは困難な物品を保持するのにも利用することが可能である。これにより、自立が困難な袋状の物品等の薄型の物品でも、一度開封した後、内容物がこぼれないように保持することが可能である。また、従来のように、横向けで上下に並べて配置しないので、保持されている物品の目視による認識が容易である。
【００５１】
次にユーティリティースタンド５の動作について説明する。図１０Ａ〜図１０Ｄは仕切り部材を仕切り位置から待機位置に移動する手順を示す図である。なお、図１０Ａ〜図１０Ｄでは、ユーティリティースタンド５に備えられた２個の仕切り部材５２の一方のみを示しているが、第１仕切り部材５２Ａ及び第２仕切り部材５２Ｂいずれも同じ手順で移動させることが可能である。
【００５２】
図４、図５等に示すように、仕切り部材５２が仕切り位置Ｐ１にあるとき、第１突起部５２３が円筒部５３１の辺縁部に掛り、仕切り部材５２の下方への移動が規制されている。また、図示しているように、第１突起部５２３が第１係合部５４と係合しているので、仕切り部材５２の回転軸部５２１周りの回転も規制される。これにより、例えば冷蔵室ドア１が開閉されたり、ドアポケット４に物品を収納したりして振動や衝撃が仕切り部材５２に作用しても、仕切り部材５２の動きが規制される。このことから、ドアポケット４に収納された物品をしっかり保持することが可能である。
【００５３】
この状態において、仕切り部材５２は上方への移動（回転軸部５２１の軸方向の摺動）が可能となっており、仕切り部材５２を上方に移動させる。なお、この移動は、第２突起部５２４が平板部５１０の下面に接触するまで可能である。図１０Ａに示すように、仕切り部材５２では第２突起部５２４が平板部５１０に接触する前に第１突起部５２３の下端が、第１係合部５４の上面よりも上方に移動する。つまり、仕切り部材５２を上方に移動することで、第１突起部５２３は第１係合部５４から離れる。
【００５４】
第１突起部５２３が第１係合部５４から離れると、仕切り部材５２の回転軸部５２１周りの回転を規制がなくなるので、仕切り部材５２を回転軸部５２１周りに回転することが可能となる。仕切り部材５２を持ち上げた状態で、回転軸部５２１を中心に、平面視反時計回りに仕切り部材５２を回転させる（図１０Ｂ参照）。そして、仕切り部材５２を９０°回転させると、第１突起部５２３は、第２係合部５５と上下方向に重なる位置に到達する（図１０Ｃ参照）。このときの仕切り部材５２の位置が待機位置Ｐ２であり、仕切りバー部５２２がドアポケット４の収納領域の邪魔にならない位置（冷蔵室ドア３の内面に沿う位置）に移動している。
【００５５】
そして、仕切り部材５２を持ち上げていた力を除くと、仕切り部材５２は自重によって下方に移動する（図１０Ｄ参照）。このとき、回転軸部５２１が円筒部５３１にガイドされるので、仕切り部材５２の第１突起部５２３は正確に第２係合部５５に係合される。仕切り部材５２が待機位置Ｐ２にあるとき、仕切り位置Ｐ１にあるときと同様、第１突起部５２３が円筒部５３１の辺縁部に掛り、仕切り部材５２の回転軸部５２１の軸方向の移動が規制され、第１突起部５２３が第２係合部５５と係合することで、回転軸部５２１周りの回転が規制される。これにより、例えば冷蔵室ドア１が開閉されたり、ドアポケット４に物品を収納したりして振動や衝撃が仕切り部材５２に作用しても、仕切り部材５２の動きが規制される。このことから、ドアポケット４の収納領域を仕切りのない状態で利用することが可能である。
【００５６】
上述した仕切り部材５２では、仕切り位置Ｐ１から平面視において反時計回りに回転した位置を待機位置Ｐ２としている。このように、収納することで、ユーティリティースタンド５では、第１仕切り部材５２Ａと第２仕切り部材５２Ｂが近接した状態でも、各仕切り部材を待機位置Ｐ２に移動させることが可能となっている。
【００５７】
また、一方の仕切り部材５２（例えば、第２仕切り部材５２Ｂ）を反対側、すなわち、図１０Ｂの平面視において時計回りに回転させてもよい。図１１は図７とは異なる状態に収納したユーティリティースタンドの斜視図である。図１１に示すように、第１仕切り部材５２Ａと第２仕切り部材５２Ｂとが離れて配置されている状態で収納する場合、第２仕切り部材５２Ｂを第１仕切り部材５２Ａとは反対側に回転させて収納させることも可能である。このように、待機位置Ｐ２は、仕切り部材５２の位置によって適切な方向に回転させて収納させることが可能である。
【００５８】
ドアポケット４には、ビン、缶、ペットボトル等の縦長の物品を収納することが可能であるが、その物品の高さは異なる場合が多い。つまり、仕切りバー部５２２がドアポケット４の底板部４０に近い位置で仕切っている状態で、ドアポケット４に背の高い物品を収納すると、物品をしっかり保持するのが難しく、転倒したり、がたついたりしやすくなる。そこで、仕切り部材５２では、仕切りバー部５２２の底板部４０からの高さを段階的に変更することができるようになっている。
【００５９】
次に、仕切り部材５２の高さを調整する手順について図面を参照して説明する。図１２Ａ〜図１２Ｄは仕切り部材の上下位置を変更する手順を示す図である。図１２Ａ〜図１２Ｄは仕切り部材５２を上に持ち上げる手順を示している。仕切り部材５２では、図５等に示すように、上部の第１突起部５２３が第１係合部５４と係合しており、このとき、仕切りバー部５２２はドアポケット４の底板部４０に近い位置で保持されている。この状態から、仕切り部材５２を回転させるため、仕切り部材５２を持ち上げる。なお、仕切り部材５２を持ち上げ、回転軸部５２１を中心に回転するまでは、図１０Ａ、図１０Ｂに示した手順と同じであるので詳細は省略する。
【００６０】
仕切り部材５２を回転可能なように持ち上げ、仕切り部材５２を反時計回りに４５°回転する。このように、仕切り部材５２を回転させることで、回転軸部５２１の第１突起部５２３及び第２突起部５２４が、貫通孔５３の溝部５３２と上下方向に重なる（図１２Ａ参照）。このように、第１突起部５２３及び第２突起部５２４が溝部５３２と重なった状態で、仕切り部材５２を上方に移動させる（図１２Ｂ参照）ことで、第２突起部５２４が溝部５３２を通過し、第２突起部５２４が第１係合部５４の上部に移動する（図１２Ｃ参照）。
【００６１】
このように、第２突起部５２４が第１係合部５４よりも上にある状態で、回転軸部５２１を中心に平面視時計回りに４５°回転させることで、第２突起部５２４が第１係合部５４の上部に重なるように配置される（図１２Ｄ参照）。この状態で、仕切り部材５２を持ち上げている力を抜くと仕切り部材５２が下方に移動する。このとき、回転軸部５２１が円筒部５３１にガイドされるので、第２突起部５２４は正確に第１係合部５４に係合される。第２突起部５２４が円筒部５３１の辺縁部に掛り、仕切り部材５２の回転軸部５２１の軸方向の移動が規制され、第２突起部５２４が第１係合部５４と係合することで、回転軸部５２１周りの回転が規制される。これにより、仕切りバー部５２２がドアポケット４の収納領域を底板部４０から高い部分で仕切ることができる。
【００６２】
以上、示したように仕切り部材５２は、回転軸部５２１の軸方向に離して第１突起部５２３及び第２突起部５２４を備え、第１係合部５４と第１突起部５２３又は第２突起部５２４とを係合させることで、仕切りバー部５２２の底板部４０からの高さを段階的に変更することができる。なお、仕切り部材５２では、第１突起部５２３、第２突起部５２４の２個の突起部を備えているが、これに限定されるものではなく、３個以上の突起部を備えていてもよい。
【００６３】
ユーティリティースタンド５の他の利用状態について図面を参照して説明する。図１３はドアポケットの周壁部に取り付けたユーティリティースタンドの仕切り部材を仕切り位置に配置した状態の斜視図であり、図１４は図１３に示すユーティリティースタンドの仕切り部材を待機位置に移動したときの斜視図である。なお、図１３、図１４に示すユーティリティースタンド５は、ドアポケット４の周壁部４１の手前側に取り付けている以外は、図６等に示すものと同じであり、実質上同じ部分には同じ符号を付すとともに、同じ部分の詳細な説明は省略する。
【００６４】
図１３に示すように、ユーティリティースタンド５の支持部材５１は、ドアポケット４の周壁部４１の手前側の部分に摺動可能に取り付けられている。このように、周壁部４１手前側に取付けられている場合、ドアポケット４の収納領域に物品が収納されている状態でも、支持部材５１及び仕切り部材５２を容易に操作することが可能である。
【００６５】
そして、図１４に示すように、ユーティリティースタンド５をドアポケット４の周壁部４１の手前側に取り付け、仕切り部材５２の仕切りバー部５２２の先端部が他方の仕切り部材５２の回転軸部５２１に向かって伸びるように収納する。仕切り部材５２をこのように収納することで、仕切り部材５２をドアポケット４の正面側に物品の落下を抑制するための柵として利用することも可能である。このように仕切り部材５２を落下抑制用の柵として利用することで、物品の落下を抑制するとともに、冷気の通過を妨げにくいのでドアポケット４に収納された物品を効率よく冷却することが可能である。
【００６６】
上述した、ユーティリティースタンド５において、仕切り部材５２は金属の仕切りバー部材を折り曲げたものとしているが、物品が滑らないように仕切りバー部５２２の表面に粗い凹凸が形成されていてもよく、ゴム等による滑り止め手段が取り付けられていてもよい。
【００６７】
なお、上述の実施形態では、２段目のドアポケット４Ｂにユーティリティースタンド５が備えられている構成となっているが、これに限定されるものではなく、他のドアポケット（４Ａ、４Ｃ、４Ｄのいずれか、又はすべて）に備えられていてもよい。また、ユーティリティースタンド５の配置場所はドアポケット４に限定されるものではなく、例えば、手前に摺動する箱型の収納室の奥行方向の仕切り等、収納室の他の部分にも利用可能である。さらに、上述の実施形態では、ユーティリティースタンド５が備えられる場所として、冷蔵室１としているが、これに限定されるものではなく、冷凍室や野菜室等、他の収納室に備えられていてもよい。この場合もドアポケットに限られるものではない。
【００６８】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００６９】
本発明にかかる、冷却庫は一般家庭に備えられる冷蔵庫として利用可能である。
【符号の説明】
【００７０】
Ａ  冷却庫
１  冷蔵室
２  冷凍室
２０  冷凍室ドア
３  冷蔵室ドア
４  ドアポケット
４０  底板部
４１  周壁部
４２  レール部
５  ユーティリティースタンド
５１  支持部材
５１０  平板部
５２  仕切り部材
５２１  回転軸部
５２２  仕切りバー部材
５２３  第１突起部
５２４  第２突起部
５３  貫通孔
５３１  円筒部
５３２  溝部
５４  第１係合部
５４０  凸部
５４１  溝部
５５  第２係合部
５５０  凸部
５５１  溝部
【図１】
2013079765.tif 000003
【図２】
2013079765.tif 000004
【図３】
2013079765.tif 000005
【図４】
2013079765.tif 000006
【図５】
2013079765.tif 000007
【図６】
2013079765.tif 000008
【図７】
2013079765.tif 000009
【図８Ａ】
2013079765.tif 000010
【図８Ｂ】
2013079765.tif 000011
【図９】
2013079765.tif 000012
【図１０Ａ】
2013079765.tif 000013
【図１０Ｂ】
2013079765.tif 000014
【図１０Ｃ】
2013079765.tif 000015
【図１０Ｄ】
2013079765.tif 000016
【図１１】
2013079765.tif 000017
【図１２Ａ】
2013079765.tif 000018
【図１２Ｂ】
2013079765.tif 000019
【図１２Ｃ】
2013079765.tif 000020
【図１２Ｄ】
2013079765.tif 000021
【図１３】
2013079765.tif 000022
【図１４】
2013079765.tif 000023